(57)【要約】  薄肉なヘッド部を備え奥歯等の清掃実感が高く、かつヘッド部に形成されている植毛穴の多くが大径であっても植毛時のヘッド部の反り及び毛束の抜けが抑制される歯ブラシを提供することを目的とする。ヘッド部（１０）を含む樹脂製のハンドル体（１ａ）を備える平線式植毛を採用した歯ブラシ（１）であって、ヘッド部（１０）の厚みが２ｍｍ以上、４ｍｍ以下であり、直径１．８ｍｍ以上の第１植毛穴（１１ａ）の割合が１０％以上であり、ヘッド部（１０）の正面視での植毛部の領域ａにおける、植毛面（１０ａ）から背面（１０ｂ）に向かって深さ１ｍｍまでの領域Ａに占める第１植毛穴（１１ａ）及び第２植毛穴の部分の体積の総和をＶＡ（ｍｍ３）、背面（１０ｂ）から植毛面（１０ａ）に向かって深さ１ｍｍまでの領域Ｂに占める樹脂部分（１０ｃ）の体積をＶＢ（ｍｍ３）としたとき、ＶＡ／ＶＢが０．５０以上、１．００以下である、歯ブラシ（１）。
2019230845.tif 000002
【特許請求の範囲】
【請求項１】
植毛面に複数の植毛穴が設けられたヘッド部を含む樹脂製のハンドル体を備え、前記植毛穴のそれぞれに平線の打ち込みにより毛束が植設された植毛部が設けられている歯ブラシであって、
前記ヘッド部の厚みが２ｍｍ以上、４ｍｍ以下であり、
前記植毛面に設けられた植毛穴の総数に対する、直径が１．８ｍｍ以上の植毛穴の合計数の割合が１０％以上であり、
前記ヘッド部の正面視での前記植毛部の領域ａにおける、前記植毛面から背面に向かって深さ１ｍｍまでの領域Ａに占める前記植毛穴の体積の総和をＶＡ（ｍｍ３）、前記背面から前記植毛面に向かって深さ１ｍｍまでの領域Ｂに占める樹脂部分の体積をＶＢ（ｍｍ３）としたとき、
ＶＡ／ＶＢが０．５０以上、１．００以下である、歯ブラシ。
【請求項２】
前記領域Ａにおける正面視での１ｃｍ２あたりの前記植毛穴の体積の割合が、３５ｍｍ３／ｃｍ２以上、６０ｍｍ３／ｃｍ２以下である、請求項１に記載の歯ブラシ。
【請求項３】
前記領域Ｂにおける正面視での１ｃｍ２あたりの樹脂部分の体積の割合が、６５ｍｍ３／ｃｍ２以上、８５ｍｍ３／ｃｍ２以下である、請求項１又は２に記載の歯ブラシ。
【請求項４】
ヘッド部の輪郭によって囲まれ、前記ヘッド部の正面視での最も先端寄りの前記植毛穴の先端に接する短軸方向の直線から、最も後端寄りの前記植毛穴の後端に接する短軸方向の直線までの領域ｂにおける、前記植毛面から深さ１ｍｍの領域Ｃに占める前記植毛穴の体積の総和をＶＣ（ｍｍ３）、背面から深さ１ｍｍの領域Ｄに占める樹脂部分の体積をＶＤ（ｍｍ３）としたとき、
ＶＣ／ＶＤの値がＶＡ／ＶＢの値の０．６０倍以上、０．８５倍以下である、請求項１〜３のいずれか一項に記載の歯ブラシ。
【請求項５】
前記植毛面の短軸方向の両側にそれぞれ長軸方向に並ぶ複数の直径１．８ｍｍ以上の第１植毛穴が形成され、前記植毛面の短軸方向の前記第１植毛穴よりも内側に長軸方向に並ぶ複数の直径１．８ｍｍ未満の第２植毛穴が形成されている、請求項１〜４のいずれか一項に記載の歯ブラシ。
【発明の詳細な説明】
【技術分野】
【０００１】
本発明は、歯ブラシに関する。
本願は、２０１８年５月３１日に、日本に出願された特願２０１８−１０５１７１号に基づき優先権を主張し、その内容をここに援用する。
【背景技術】
【０００２】
歯ブラシの口腔内操作性を高め、口腔内の奥歯等の狭い部位の清掃実感を高める歯ブラシとしては、厚み２〜３ｍｍ程度の薄肉のヘッド部を備える歯ブラシが知られている（特許文献１）。また、歯茎を優しくマッサージできる歯ブラシとしては、ブラッシング圧が分散しやすい直径１．８ｍｍ以上の大径の毛束を備える歯ブラシが知られている（特許文献２）。
【先行技術文献】
【特許文献】
【０００３】
【特許文献１】特開２０１１−４８５２号公報
【特許文献２】特開２０１２−３４８４４号公報
【発明の概要】
【発明が解決しようとする課題】
【０００４】
しかし、薄肉のヘッド部に多数の大径の植毛穴を形成し、奥歯等の清掃実感と歯茎のマッサージ実感向上等の効果とを両立させることは難しい。薄肉のヘッド部に大径の植毛穴を多く形成すると、植毛時にハンドル体がヘッド部とネック部の境界部分から反りやすく、特にヘッド部領域内での反りが起こりやすいために歯ブラシの使用性が低下する。また、大径の植毛穴においては毛束を保持する力が低下するため、使用時に毛束が抜けやすくなる。【０００５】
本発明は、薄肉なヘッド部を備え奥歯等の清掃実感が高く、かつヘッド部に形成されている植毛穴の多くが大径であっても植毛時のヘッド部の反り及び毛束の抜けが抑制される歯ブラシを提供することを目的とする。
【課題を解決するための手段】
【０００６】
本発明は以下の構成を有する。
［１］植毛面に複数の植毛穴が設けられたヘッド部を含む樹脂製のハンドル体を備え、前記植毛穴のそれぞれに平線の打ち込みにより毛束が植設された植毛部が設けられている歯ブラシであって、
前記ヘッド部の厚みが２ｍｍ以上、４ｍｍ以下であり、
前記植毛面に設けられた植毛穴の総数に対する、直径が１．８ｍｍ以上の植毛穴の合計数の割合が１０％以上であり、
前記ヘッド部の正面視での前記植毛部の領域ａにおける、前記植毛面から背面に向かって深さ１ｍｍまでの領域Ａに占める前記植毛穴の体積の総和をＶＡ（ｍｍ３）、前記背面から前記植毛面に向かって深さ１ｍｍまでの領域Ｂに占める樹脂部分の体積をＶＢ（ｍｍ３）としたとき、
ＶＡ／ＶＢが０．５０以上、１．００以下である、歯ブラシ。
［２］前記領域Ａにおける正面視での１ｃｍ２あたりの前記植毛穴の体積の割合が、３５ｍｍ３／ｃｍ２以上、６０ｍｍ３／ｃｍ２以下である、［１］に記載の歯ブラシ。
［３］前記領域Ｂにおける正面視での１ｃｍ２あたりの樹脂部分の体積の割合が、６５ｍｍ３／ｃｍ２以上、８５ｍｍ３／ｃｍ２以下である、［１］又は［２］に記載の歯ブラシ。
［４］ヘッド部の輪郭によって囲まれ、前記ヘッド部の正面視での最も先端寄りの前記植毛穴の先端に接する短軸方向の直線から、最も後端寄りの前記植毛穴の後端に接する短軸方向の直線までの領域ｂにおける、前記植毛面から深さ１ｍｍの領域Ｃに占める前記植毛穴の体積の総和をＶＣ（ｍｍ３）、背面から深さ１ｍｍの領域Ｄに占める樹脂部分の体積をＶＤ（ｍｍ３）としたとき、
ＶＣ／ＶＤの値がＶＡ／ＶＢの値の０．６０倍以上、０．８５倍以下である、［１］〜［３］のいずれかに記載の歯ブラシ。
［５］前記植毛面の短軸方向の両側にそれぞれ長軸方向に並ぶ複数の直径１．８ｍｍ以上の第１植毛穴が形成され、前記植毛面の短軸方向の前記第１植毛穴よりも内側に長軸方向に並ぶ複数の直径１．８ｍｍ未満の第２植毛穴が形成されている、［１］〜［４］のいずれかに記載の歯ブラシ。
【発明の効果】
【０００７】
本発明の歯ブラシは、薄肉なヘッド部を備え奥歯等の清掃実感が高く、かつヘッド部に形成されている植毛穴の多くが大径であっても植毛時のヘッド部の反り及び毛束の抜けが抑制されている。
【図面の簡単な説明】
【０００８】
【図１】本発明の歯ブラシの一例を示した正面図である。
【図２】図１の歯ブラシのヘッド部を拡大した正面図である。なお、毛束と平線は省略している。
【図３】ヘッド部における領域ａを示した正面図である。なお、毛束と平線は省略している。
【図４】ヘッド部における領域ｂを示した正面図である。なお、毛束と平線は省略している。
【図５】図２の歯ブラシのＩ−Ｉ断面図である。なお、毛束と平線は省略している。
【図６】図２の歯ブラシのＩＩ−ＩＩ断面図である。なお、毛束と平線は省略している。
【図７】植毛面に形成された植毛穴に毛束が植設されている様子を示した断面図である。
【図８】本発明の歯ブラシの他の例を示した正面図である。
【図９】本発明の歯ブラシの他の例を示した正面図である。
【図１０】本発明の歯ブラシの他の例を示した正面図である。
【図１１】本発明の歯ブラシの他の例を示した正面図である。
【図１２】本発明の歯ブラシの他の例を示した正面図である。
【図１３】本発明の歯ブラシの他の例を示した正面図である。
【図１４】本発明の歯ブラシの他の例を示した正面図である。
【図１５】本発明の歯ブラシの他の例を示した正面図である。
【図１６】実施例における歯ブラシの反りの評価方法を説明する植毛前の歯ブラシの側面図である。
【図１７】実施例における歯ブラシの反りの評価方法を説明する植毛後の歯ブラシの側面図である。なお、毛束と平線は省略している。
【発明を実施するための形態】
【０００９】
以下、本発明の歯ブラシの一例を示して詳細に説明する。なお、以下の説明において例示される図の寸法等は一例であって、本発明はそれらに必ずしも限定されるものではなく、その要旨を変更しない範囲で適宜変更して実施することが可能である。
【００１０】
本実施形態の歯ブラシ１は、図１、図５及び図６に示すように、樹脂製のハンドル体１ａを備える。ハンドル体１ａは、ヘッド部１０と、ネック部１２と、ハンドル部１４とで形成されている。
【００１１】
ネック部１２は、ヘッド部１０の長軸方向の後端側に延接されている。ネック部１２は、ハンドル部１４とヘッド部１０との間を連結する部分である。
ハンドル部１４は、ネック部１２の長軸方向の後端側に延接されている。ハンドル部１４は、使用者が把持する部分である。
ハンドル体１ａは、ヘッド部１０、ネック部１２及びハンドル部１４が一体に成形されたものでもよく、それらのうちのいずれかを別に成形して接合させたものでもよい。
【００１２】
本発明において、最も先端側に配置された植毛穴の外縁の先端とヘッド部の先端との長軸方向における距離をＬ１（図２）とすると、ヘッド部の後端は、最も後端側の植毛穴の外縁の後端から長軸方向の後端側に距離Ｌ１の位置である。
ヘッド部１０は、厚み方向の一方の側に植毛面１０ａを有している。
ヘッド部１０の植毛面１０ａには、複数の円形の第１植毛穴１１ａ及び第２植毛穴１１ｂが形成されている。歯ブラシ１のヘッド部１０には、植毛部１８が設けられている。植毛部１８では、複数の第１植毛穴１１ａのそれぞれに第１毛束１６ａが植設され、複数の第２植毛穴１１ｂのそれぞれに第２毛束１６ｂが植設されている。
【００１３】
ヘッド部１０の厚みは、２ｍｍ以上、４ｍｍ以下であり、２．５ｍｍ以上、３．５ｍｍ以下が好ましい。ヘッド部１０の厚みが前記範囲の上限値以下であれば、歯ブラシ１の口腔内操作性に優れ、奥歯等の口腔内の狭い場所の清掃実感が高い。ヘッド部１０の厚みが前記範囲の下限値以上であれば、ヘッド部に形成されている植毛穴の多くが直径１．８ｍｍ以上の大径であっても植毛時のヘッド部の反り及び毛束の抜けを抑制できる。
なお、前記のヘッド部の厚みの範囲は、ヘッド部のどの位置で測定しても厚みが前記範囲内になっていることを意味する。
【００１４】
ヘッド部１０の幅は、６〜１６ｍｍが好ましく、８〜１５ｍｍがより好ましく、１０〜１２ｍｍが更に好ましい。ヘッド部１０の幅が前記範囲の下限値以上であれば、直径１．８ｍｍ以上の大径の植毛穴をヘッド部の短軸方向に多数設けることが容易となり、大径の毛束を活かした歯茎のマッサージ実感の高い歯ブラシを提供できる。また、大径の植毛穴を短軸方向に複数配置しても、植毛穴のピッチを十分に確保しやすいため、ヘッド部の反りを抑制しやすい。ヘッド部１０の幅が前記範囲の上限値以下であれば、薄肉のヘッド部の利点である口腔内操作性を損ないにくい。
なお、前記のヘッド部の幅の範囲は、ヘッド部における最大の幅が前記範囲内になっていることを意味する。また、本明細書において、「〜」で表される数値範囲は、〜の前後の数値を下限値及び上限値として含む数値範囲を意味する。
【００１５】
ヘッド部１０の長さは、１０〜３３ｍｍが好ましく、１２〜２８ｍｍがより好ましい。ヘッド部１０の長さが前記範囲の下限値以上であれば、大径の植毛穴をヘッド部の長軸方向に多数設けることが可能となり、歯茎のマッサージ実感の高い歯ブラシを提供できる。また、大径の植毛穴を長軸方向に複数配置しても、植毛穴のピッチを十分に確保しやすいため、ヘッド部の反りを抑制しやすい。ヘッド部１０の長さが前記範囲の上限値以下であれば、薄肉のヘッド部の利点である口腔内操作性を損ないにくい。
【００１６】
ヘッド部１０の背面厚みは、０．３〜０．６ｍｍが好ましく、０．４〜０．５ｍｍがより好ましい。ヘッド部１０の背面厚みが前記範囲の下限値以上であれば、ヘッド部１０の反りを抑制しやすい。ヘッド部１０の背面厚みが前記範囲の上限値以下であれば、付随してヘッド部の厚みが薄くなるため、薄肉のヘッド部の利点である口腔内操作性を損なわない。
なお、ヘッド部の背面厚みとは、ヘッド部の背面から植毛穴の底までの距離を意味する。ヘッド部の背面とは、ヘッド部における植毛面と反対側の面である。前記のヘッド部の背面厚みは、ヘッド部のどの位置で測定しても背面厚みが前記範囲内になっていることを意味する。
【００１７】
本発明では、ヘッド部の植毛面に形成される複数の植毛穴は、直径が単一の植毛穴でもよく、直径の異なる植毛穴の組み合わせでもよい。直径の異なる植毛穴を組み合わせる場合は、長軸方向に並ぶ植毛穴の直径を揃えることが好ましい。長軸方向に並ぶ植毛穴の直径を揃えると、同じ太さの毛束が長軸方向に並ぶため、歯みがき時の各毛束の撓み方が均一となり、歯茎のマッサージ実感が向上しやすい。また、歯茎に対するマッサージ実感を得やすい点から、ブラッシング圧が分散しやすい、より直径が大きい植毛穴を短軸方向における外側に配置することが好ましい。また、薄肉のヘッド部を活かした奥歯の清掃実感を更に高め、かつ前記マッサージ実感と両立させるためには、清掃効果を担う直径が小さい毛束を短軸方向において内側に配置することが好ましい。なお、短軸方向とは、植毛面と平行で、長軸方向と直交する方向である。
植毛穴の配列パターンは、特に限定されず、千鳥状、格子状を例示できる。
【００１８】
この例では、図２に示すように、ヘッド部１０の植毛面１０ａの短軸方向の両側のそれぞれに、長軸方向に並ぶ直径１．８ｍｍ以上の第１植毛穴１１ａが５個ずつ形成されている。植毛面１０ａの短軸方向の第１植毛穴１１ａよりも内側の中央部には、長軸方向に３列に並ぶ直径１．８ｍｍ未満の第２植毛穴１１ｂが合計１７個形成されている。第２植毛穴１１ｂは千鳥状に形成されている。
【００１９】
直径１．８ｍｍ以上の大径の第１植毛穴１１ａの直径は、１．８〜３．２ｍｍが好ましく、２．０〜２．５ｍｍがより好ましい。第１植毛穴１１ａの直径が前記範囲の下限値以上であれば、歯茎のマッサージ実感が向上する。第１植毛穴１１ａの直径が前記範囲の上限値以下であれば、毛束を植設したときに平線下の毛束折り返し部分が太くなりすぎず、平線を植毛穴深さの方向に深く打ち込むことが可能となるため、毛束の抜けを抑制することが可能となる。
長軸方向に並ぶ大径の植毛穴の直径は、同一であることが好ましい。
【００２０】
直径１．８ｍｍ未満の小径の第２植毛穴１１ｂの直径は、１．０〜１．７ｍｍが好ましく、１．２〜１．５ｍｍがより好ましい。第２植毛穴１１ｂの直径が前記範囲の下限値以上であれば、歯垢清掃に必要な毛束の剛性を確保することができる。第２植毛穴１１ｂの直径が前記範囲の上限値以下であれば、歯垢清掃に必要な、適度な毛束の撓みを確保することができる。
長軸方向に並ぶ小径の植毛穴の直径は、同一であることが好ましい。
なお、植毛穴の直径は、正面視での植毛穴の形状が円形である場合はその直径であり、正面視での植毛穴の形状が円形以外の場合は正面視における当該植毛穴の外接円の直径である。
【００２１】
本発明では、植毛面に設けられた植毛穴の総数に対する直径１．８ｍｍ以上の大径の植毛穴の合計数の割合（以下、「割合Ｐ」とも記す。）を１０％以上とする。本実施形態の歯ブラシ１では、割合Ｐは３４％である。割合Ｐを１０％以上とすることで、歯茎のマッサージ実感が高くなる。割合Ｐの上限は１００％である。
割合Ｐの下限値は１０％以上であり、２０％以上が好ましく、３０％以上がより好ましい。割合Ｐの上限値は１００％であり、８０％以下が好ましく、５０％以下がより好ましく、４０％以下が更に好ましい。割合Ｐは１０〜８０％が好ましく、２０〜５０％がより好ましく、３０〜４０％が更に好ましい。これにより、歯茎のマッサージ実感と歯垢清掃を両立することができる。
【００２２】
本発明では、植毛面に設けられた植毛穴の総数に対して、直径２．０ｍｍ以上の植毛穴の合計数の割合が１０％以上であることが好ましく、直径２．０ｍｍ以上の植毛穴の合計数の割合が２０％以上であることがより好ましく、直径２．０ｍｍ以上の植毛穴の合計数の割合が３０％以上であることが更に好ましい。これにより、歯茎のマッサージ実感が得られやすい。
【００２３】
本発明では、ヘッド部の植毛面の短軸方向の外側に、直径１．８ｍｍ以上の大径の植毛穴をヘッド部の側縁に沿って長軸方向に配置し、それら大径の植毛穴で中央部の小径の植毛穴を挟むように配列することが好ましい。歯ブラシ１では、ヘッド部１０の側縁に沿って長軸方向に形成された２列の第１植毛穴１１ａにより、中央部の第２植毛穴１１ｂが挟まれている。これにより、刷掃時の歯茎のマッサージ実感をより高くできる。
なお、本発明では、中央部の植毛穴を１列の対の大径の植毛穴で挟んでもよく、２列の対の大径の植毛穴で挟んでもよい。
【００２４】
短軸方向の外側に形成される植毛穴はヘッド部の縁に近いため、当該植毛穴がヘッド部に与えるひずみの影響は正面視で内側（中央部側）の１８０度方向の範囲である。一方、ヘッド部の短軸方向の中央部に形成される植毛穴は、正面視で３６０度全方向にひずみを与える。これらのことから、ヘッド部の短軸方向の中央部に形成される植毛穴は、短軸方向の外側に形成される植毛穴に比べて、ヘッド部の反りへの影響が大きい。そのため、中央部の植毛穴の周囲に与えるひずみをできるだけ小さくし、ヘッド部の反りを抑制しやすくする点では、ヘッド部の短軸方向の中央部に形成される植毛穴の深さを短軸方向の外側に形成される植毛穴の深さよりも浅くすることが好ましい。
また、大径の植毛穴は毛束を植設したときに平線下の毛束折り返し部分が太くなるため、毛束の抜けを抑制するには植毛穴の深さを深めに設定する必要があるが、小径の植毛穴は大径の植毛穴に比べて穴深さを浅く設定できる。そのため、ヘッド部の短軸方向の中央部に穴深さが浅い小径の植毛穴を形成し、短軸方向の外側に穴深さが小径の植毛穴よりも深い大径の植毛穴を形成することがより好ましい。これにより、薄型ヘッドにおいてもヘッド部の反り抑制と毛束の抜けの抑制を両立でき、さらに歯茎のマッサージ実感も得られる。
【００２５】
植毛穴の深さに差を設ける場合、穴深さの差は、０．３ｍｍ以内が好ましく、０．２ｍｍ以内がより好ましい。穴深さの差を上記範囲内にすることにより、薄型ヘッドにおいてもヘッド部の反り抑制と毛束の抜けの抑制を両立させやすい。
【００２６】
なお、本発明では、ヘッド部の植毛面の短軸方向の中央部に複数の大径の植毛穴を形成し、それらの大径の植毛穴の短軸方向の両側に小径の植毛穴を形成してもよい。
【００２７】
本発明の歯ブラシにおいて、ヘッド部の正面視での植毛部の領域ａにおける、植毛面から背面に向かって深さ１ｍｍまでの領域Ａに占める植毛穴の体積の総和をＶＡ（ｍｍ３）とする。ヘッド部の正面視での植毛部の領域ａにおける、背面から植毛面に向かって深さ１ｍｍまでの領域Ｂに占める樹脂部分の体積をＶＢ（ｍｍ３）とする。このようにＶＡ及びＶＢを定義したとき、ＶＡ／ＶＢは０．５０以上、１．００以下である。
なお、「ヘッド部の正面視での植毛部の領域ａ」とは、ヘッド部の正面視における、最も外周に位置する各植毛穴を囲う領域である。領域ａを形成する囲み線は、隣り合う植毛穴同士の共有接線を連結したものである。
ヘッド部の厚みが後端に向かうに従って厚くなるように背面がテーパー化している場合、領域Ｂはテーパー化した背面に沿う深さ１ｍｍの領域とする。
【００２８】
この例では、ヘッド部１０の正面視での植毛部１８の領域ａ（図３）における、植毛面１０ａから深さ１ｍｍの領域Ａ（図５）に占める第１植毛穴１１ａ及び第２植毛穴１１ｂの体積の総和をＶＡ（ｍｍ３）とする。また、ヘッド部１０の正面視での植毛部１８の領域ａにおける、背面１０ｂから深さ１ｍｍの領域Ｂ（図５）に占める樹脂部分１０ｃの体積をＶＢ（ｍｍ３）とする。
【００２９】
ＶＡ／ＶＢは０．５０以上、１．００以下であり、０．５２以上、０．９３以下が好ましく、０．５２以上、０．８０以下がより好ましい。ＶＡ／ＶＢが前記範囲の下限値以上であれば、使用時に植毛穴から毛束が抜けにくくなる。ＶＡ／ＶＢが前記範囲の上限値以下であれば、植毛時のヘッド部の反りが抑制される。
【００３０】
領域Ａにおける正面視での１ｃｍ２あたりの植毛穴の体積の割合ＱＡは、３５ｍｍ３／ｃｍ２以上、６０ｍｍ３／ｃｍ２以下が好ましく、３５ｍｍ３／ｃｍ２以上、５３ｍｍ３／ｃｍ２以下がより好ましく、３５ｍｍ３／ｃｍ２以上、４７ｍｍ３／ｃｍ２以下がさらに好ましい。割合ＱＡが前記範囲の下限値以上であれば、高密度な植毛が可能となり、奥歯の歯茎など毛先の接触できる面積が小さな部位でも、歯茎のマッサージ実感を確保することができる。割合ＱＡが前記範囲の上限値以下であれば、植毛時のヘッド部の反りを抑制しやすい。
なお、割合ＱＡは、ＶＡ（ｍｍ３）を領域ａの面積（植毛面積）で除すことにより求められる。
【００３１】
領域Ｂにおける正面視での１ｃｍ２あたりの樹脂部分の体積の割合ＱＢは、６５ｍｍ３／ｃｍ２以上、８５ｍｍ３／ｃｍ２以下が好ましく、６５ｍｍ３／ｃｍ２以上、８０ｍｍ３／ｃｍ２以下が好ましく、７０ｍｍ３／ｃｍ２以上、８０ｍｍ３／ｃｍ２以下がさらに好ましい。割合ＱＢが前記範囲の下限値以上であれば、植毛時のヘッド部の反りを抑制しやすい。割合ＱＢが前記範囲の上限値以下であれば、十分な背面厚みの直上に大径の植毛穴を配置することができ、背面の強度を確保しながら歯茎のマッサージ実感の高い歯ブラシを提供できる。
なお、割合ＱＢは、ＶＢ（ｍｍ３）を領域ａの面積（植毛面積）で除すことにより求められる。
【００３２】
本発明の歯ブラシにおいて、ヘッド部の輪郭によって囲まれ、ヘッド部の正面視での最も先端寄りの植毛穴の先端に接する短軸方向の直線から、最も後端寄りの植毛穴の後端に接する短軸方向の直線までの領域を領域ｂとする。ヘッド部の領域ｂにおける植毛面から背面に向かって深さ１ｍｍまでの領域Ｃに占める植毛穴の体積の総和をＶＣ（ｍｍ３）とする。ヘッド部の領域ｂにおける背面から植毛面に向かって深さ１ｍｍまでの領域Ｄに占める樹脂部分の体積をＶＤ（ｍｍ３）とする。このようにＶＣ及びＶＤを定義したとき、ＶＣ／ＶＤの値はＶＡ／ＶＢの値の０．６０倍以上、０．８５倍以下であることが好ましい。
なお、ヘッド部の厚みが後端に向かうに従って厚くなるように背面がテーパー化している場合、領域Ｄはテーパー化した背面に沿う深さ１ｍｍの領域とする。
【００３３】
この例では、図４に示すように、ヘッド部１０の正面視において、ヘッド部１０の輪郭によって囲まれ、最も先端寄りの植毛穴である第２植毛穴１１ｂの先端に接する短軸方向の直線ｐから、最も後端寄りの植毛穴である第１植毛穴１１ａの後端に接する短軸方向の直線ｑまでを領域ｂとする。ヘッド部１０の領域ｂの植毛面１０ａから深さ１ｍｍの領域Ｃ（図６）に占める第１植毛穴１１ａ及び第２植毛穴１１ｂの体積の総和をＶＣ（ｍｍ３）とする。領域ｂの背面１０ｂから深さ１ｍｍの領域Ｄ（図６）に占める樹脂部分１０ｃの体積をＶＤ（ｍｍ３）とする。
【００３４】
ＶＡ／ＶＢの値に対するＶＣ／ＶＤの値は、０．６０倍以上、０．８５倍以下が好ましく、０．６５倍以上、０．８５倍以下がより好ましく、０．７０倍以上、０．８０倍以下が更に好ましい。ＶＡ／ＶＢの値に対するＶＣ／ＶＤの値が０．６０倍より小さいと、縁幅が大きいため反りの発生はＶＡ／ＶＢが０．５０以上１．００以下の範囲を満たすことで奏される抑制の程度よりもさらに抑制されるが、同時にヘッド部の幅も大きくなるため、口腔内操作性は低下する。一方、ＶＡ／ＶＢの値に対するＶＣ／ＶＤの値が０．８５倍より大きいと、十分な縁幅を確保しにくいため、ヘッド部の反り発生の程度はＶＡ／ＶＢが０．５０以上１．００以下の範囲を満たすことで奏される抑制の程度と同程度となり、さらなる抑制は見込めなくなる。
ＶＣ／ＶＤは、０．３５以上、０．７５以下が好ましく、０．３７以上、０．６８以下がより好ましい。
【００３５】
ハンドル体１ａの材質としては、曲げ弾性率（ＪＩＳ  Ｋ７１７１）が１５００ＭＰａ以上の樹脂が好ましい。ハンドル体１ａの材質として用いる樹脂の曲げ弾性率は、１５００ＭＰａ以上、３０００ＭＰａ以下がより好ましく、２０００ＭＰａ以上、２７００ＭＰａ以下がさらに好ましい。樹脂の曲げ弾性率が前記下限値以上であれば、ヘッド部１０の反りが抑制されやすい。樹脂の曲げ弾性率が前記上限値以下であれば、刷掃時のネック部１２が適度に撓むことにより、歯茎のマッサージ実感が向上する。また、毛先の歯列への追従性を高めることができ、効率良く歯みがきできるようになる。
【００３６】
ハンドル体１ａの材質として用いる好ましい樹脂としては、ポリプロピレン（ＰＰ）、ポリアセタール（ＰＯＭ）、ポリブチレンテレフタレート（ＰＢＴ）、ポリエチレンテレフタレート（ＰＥＴ）、ポリシクロヘキシレンジメチレンテレフタレート（ＰＣＴ）を例示でき、樹脂強度の点でＰＯＭが特に好ましい。
【００３７】
ハンドル体１ａの材質として用いる樹脂は、１種でもよく、２種以上でもよい。
ハンドル体は、把持性を向上させるため、例えばエラストマー等の柔軟な樹脂が部分的又は全体に被覆されていてもよい。前記の柔軟な樹脂としては、接着性が向上する点から、ＰＰであればオレフィン系のエラストマーが好ましく、ＰＯＭであればスチレン系のエラストマーが好ましい。
【００３８】
ハンドル体１ａの全長は、操作性等を勘案して適宜決定でき、例えば、１００〜２００ｍｍ程度である。
【００３９】
歯ブラシ１では、図７に示すように、第１植毛穴１１ａ及び第２植毛穴１１ｂのそれぞれに、複数本の用毛１５を束ねて二つ折りにした第１毛束１６ａ及び第２毛束１６ｂが平線２０の打ち込みにより植設されている。このように、本発明の歯ブラシは、平線式植毛の歯ブラシである。
【００４０】
用毛の材質としては、特に限定されず、ポリアミド（６−１２ナイロン、６−１０ナイロン、１２−ナイロン等）、ポリエステル（ポリエチレンテレフタレート、ポリブチレンテレフタレート、ポリトリメチレンテレフタレート等）、ポリオレフィン（ポリプロピレン等）、エラストマー（オレフィン系、スチレン系等）等の合成樹脂材料や天然材質を例示できる。用毛１５の材質は、１種でもよく、２種以上でもよい。
【００４１】
用毛の横断面形状は、円形であることが多いが、円形には限定されず、三角形、四角形、六角形、花びら状等でもよく、これらを組み合わせた形状でもよい。用毛全体の外観形状も特に限定されず、ウエーブ状、ツイスト状、ギザギザ状等に加工されたものを用いることもできる。
【００４２】
用毛の直径は、３〜１２ｍｉｌ（０．０７６〜０．３０５ｍｍ）が好ましく、５〜１０ｍｉｌ（０．１２７〜０．２５４ｍｍ）がより好ましい。大径の植毛穴には用毛径の小さな用毛を植設することが好ましい。太い毛束であっても刷掃時に毛束を撓ませることが可能となり、歯茎のマッサージ実感が高い歯ブラシを提供できる。
なお、用毛の直径は、用毛の横断面形状が円形である場合はその直径であり、用毛の横断面形状が円形以外の場合は用毛の横断面の外接円の直径である。
【００４３】
用毛は、毛先丸め部を除いて１本の用毛内ではほぼ同一径の通常毛でもよい。なお、ヘッド部１０の植毛面１０ａ付近では上記太さであって、毛先へ向かうに従って徐々に径が細くなるように先鋭化されたテーパー毛であっても構わない。この場合、歯の隙間への毛先の侵入性が良く、ソフトなあたり心地が実現できるため、歯頸部の清掃や歯茎のマッサージには好適となる。また、通常毛とテーパー毛とを植毛穴毎に適宜選択したり、同一毛束内で混毛したり、自由に組み合わせることができる。
【００４４】
用毛の植毛面１０ａからの長さ（毛丈）は、適宜設定でき、例えば、６〜１５ｍｍ程度である。用毛の毛丈は、大人用では９ｍｍ〜１５ｍｍ、子供用では６ｍｍ〜９ｍｍの範囲内が好ましい。
第１毛束１６ａ及び第２毛束１６ｂの直径は、植設する第１植毛穴１１ａ及び第２植毛穴１１ｂの直径に応じて設定すればよい。
【００４５】
以上説明したように、本発明の歯ブラシでは、ヘッド部の厚みが２ｍｍ以上、４ｍｍ以下の薄肉であるため、口腔内操作性に優れ、奥歯等の清掃実感が高い。また、直径１．８ｍｍ以上の植毛穴の割合を１０％以上とすることにより、歯茎のマッサージ実感向上等の効果を確保することが容易になる。さらに、ＶＡ／ＶＢを０．５０以上、１．００以下の範囲に制御する。これにより、ヘッド部に形成されている植毛穴の多くが大径であっても、植毛時のヘッド部の反りや、毛束の抜けを抑制できる。
【００４６】
植毛時のヘッド部の反りが抑制される要因は、以下のように考えられる。
平線式植毛においては、植毛穴に対して穴を広げようとする力が働く。そのため、歯ブラシの側面視において、ヘッド部とネック部の連結部分からヘッド部の先端にかけて背面側に漸次下降するアーチ状の反りが形成されやすい。この穴を広げようとする力は植毛面に近いほど大きく、また植毛穴の体積が大きいほど、周囲の樹脂部分のより広い領域まで影響するため、反りが起こりやすくなる。またヘッド部が反る際、ヘッド部の背面寄りの部分では、樹脂部分を圧縮する力が生じる。そのため、樹脂体積が大きいほど、反りが生じにくくなる。ＶＡ／ＶＢを上記範囲に制御し、植毛面寄りの植毛穴の体積と背面寄りの樹脂部分の体積を適切な範囲に調節することで、平線の打ち込みによる植毛時のヘッド部の反りが抑制される。
【００４７】
さらに、毛束の抜けが抑制される要因は、以下のように考えられる。
平線式植毛においては、植毛穴の穴径が大きいほど、毛束を植設したときに平線下の毛束折り返し部分が太くなるため、平線を植毛穴深さの方向に深く打ち込むことが困難となり、毛束の抜けが起こりやすくなる。毛束の抜けを抑制するためには、植毛穴の穴深さを深くする方法が考えられるが、それによる背面厚みの縮小はヘッド部の強度低下に繋がる。以上から、毛束の抜けを抑制するためにはＶＡ／ＶＢの適切な範囲が存在する。
【００４８】
なお、本発明の歯ブラシは、前記した歯ブラシ１には限定されない。
例えば、本発明の歯ブラシにおいては、ヘッド部の厚みが後端に向かうに従って厚くなるように背面がテーパー化していてもよい。
本発明の歯ブラシにおいてヘッド部の植毛面に植設される毛束の数や、植毛穴の配列パターンは、歯ブラシ１のものには限定されない。具体的には、本発明の歯ブラシにおける毛束の数や、植毛穴の配列パターンは、図８〜１４に例示した歯ブラシ１Ａ〜１Ｇのような態様であってもよい。
本発明の歯ブラシは、図１５に示すように、小径の第２植毛穴１１ｂが短軸方向の外側に配置され、大径の第１植毛穴１１ａが短軸方向の内側に配置された歯ブラシ１Ｈであってもよい。
【００４９】
以下、実施例によって本発明を詳細に説明するが、本発明は以下の記載によっては限定されない。
［奥歯の清掃しやすさの評価］
専門家パネル１０人による官能試験を行い、奥歯（第二大臼歯）の清掃しやすさを以下の基準で評価した。専門家パネル１０名の平均点が４．０点以上、５．０点以下を「◎」、３．０点以上、４．０点未満を「○」、２．０点以上、３．０点未満を「△」、２．０点未満を「×」とした。○又は◎であるものを奥歯の清掃しやすさが高い歯ブラシであると判断した。
（評価基準）
５点：非常に磨きやすい。
４点：やや磨きやすい。
３点：どちらでもない。
２点：やや磨きにくい。
１点：非常に磨きにくい。
【００５０】
［歯茎のマッサージ実感の評価］
専門家パネル１０人による官能試験を行い、歯茎のマッサージ実感を以下の基準で評価した。専門家パネル１０名の平均点が４．０点以上、５．０点以下を「◎」、３．０点以上、４．０点未満を「○」、２．０点以上、３．０点未満を「△」、２．０点未満を「×」とした。○又は◎であるものを歯茎のマッサージ実感が高い歯ブラシであると判断した。
（評価基準）
５点：非常に感じる。
４点：やや感じる。
３点：どちらでもない。
２点：あまり感じない。
１点：全く感じない。
【００５１】
［ヘッド部の反りの評価］
図１６に示すように、歯ブラシの側面視において、ヘッド部１０とネック部１２の繋ぎ領域（植毛穴の最後端からネック部の最小径までの領域）におけるパーティングラインをヘッド部１０の先端側に延長した延長線ｋと、植毛前の反りがない状態における延長線ｋとヘッド部１０の先端面との交点を点ｓとした。図１７に示すように、各例の植毛後の歯ブラシにおいて延長線ｋと点ｓとの距離ｄを測定し、ヘッド部の反りとした。ヘッド部の反りを以下の基準で評価した。
（評価基準）
◎：反りが０ｍｍ。
○：反りが０ｍｍより大きく、０．５ｍｍ未満。
△：反りが０．５ｍｍ以上、１．０ｍｍ未満。
×：反りが１．０ｍｍ以上。
【００５２】
［毛束の抜けにくさ］
１つの大径の植毛穴に植設された毛束を専用器具によってつかみ、引張試験機を用いて植毛穴から毛束が抜けるまでの最大引張応力（Ｎ）を測定（引張速度２０ｍｍ／分）（ｎ＝１０）し、その値に応じて毛束の抜けにくさを以下の基準で評価した。
（評価基準）
◎：最大引張応力の平均値が２５Ｎ以上。
○：最大引張応力の平均値が２０Ｎ以上２５Ｎ未満。
△：最大引張応力の平均値が１５Ｎ以上２０Ｎ未満。
×：最大引張応力の平均値が１５Ｎ未満。
【００５３】
［実施例１］
ハンドル体を形成する樹脂としてＰＯＭ（曲げ弾性率：２５００ＭＰａ）を用い、表１及び表２に示す仕様に従って、射出成形により図１〜６に例示したハンドル体１ａを作製した。ポリブチレンテレフタレート製の用毛（直径：大穴５．０ｍｉｌ、小穴６．０ｍｉｌ）を束ねた毛束を二つ折りにし、その間に挟み込まれた平線をヘッド部の植毛穴に打ち込み、毛束を植設して歯ブラシを製作した。
【００５４】
［実施例２〜５、比較例１〜４］
表１及び表２に示す仕様に変更した以外は、実施例１と同様にして歯ブラシを作製した。
【００５５】
各例の歯ブラシの仕様及び評価結果を表１及び表２に示す。なお、表２における「割合Ｐ」は、植毛面に設けられた植毛穴の総数に対する、直径が１．８ｍｍ以上の大径の植毛穴の合計数の割合である。
【００５６】
【表１】
2019230845.tif 000003
【００５７】
【表２】
2019230845.tif 000004
【００５８】
表２に示すように、ヘッド部の厚み、割合Ｐ及びＶＡ／ＶＢを本発明で規定する範囲に制御した実施例１〜５の歯ブラシは、ヘッド部の反りが抑制されていた。また奥歯の清掃実感、歯茎のマッサージ実感が高く、毛束が抜けにくかった。
直径１．８ｍｍ以上の大径の植毛穴がない比較例１の歯ブラシでは、実施例に比べて歯茎へのマッサージ実感が不足していた。ＶＡ／ＶＢが大きすぎる比較例２の歯ブラシでは、ヘッド部の反りを抑制できなかった。ＶＡ／ＶＢが小さすぎる比較例３の歯ブラシでは、毛束が抜けやすかった。ヘッド部の厚みが厚すぎる比較例４では、実施例に比べて奥歯の清掃しやすさが不足していた。
【符号の説明】
【００５９】
１…歯ブラシ、１ａ…ハンドル体、１０…ヘッド部、１０ａ…植毛面、１０ｂ…背面、１０ｃ…樹脂部分、１１ａ…第１植毛穴、１１ｂ…第２植毛穴、１２…ネック部、１４…ハンドル部、１６ａ…第１毛束、１６ｂ…第２毛束、１８…植毛部、２０…平線。
【図１】
2019230845.tif 000005
【図２】
2019230845.tif 000006
【図３】
2019230845.tif 000007
【図４】
2019230845.tif 000008
【図５】
2019230845.tif 000009
【図６】
2019230845.tif 000010
【図７】
2019230845.tif 000011
【図８】
2019230845.tif 000012
【図９】
2019230845.tif 000013
【図１０】
2019230845.tif 000014
【図１１】
2019230845.tif 000015
【図１２】
2019230845.tif 000016
【図１３】
2019230845.tif 000017
【図１４】
2019230845.tif 000018
【図１５】
2019230845.tif 000019
【図１６】
2019230845.tif 000020
【図１７】
2019230845.tif 000021
【国際調査報告】
2019230845.tif 000022
2019230845.tif 000023